(57)【特許請求の範囲】
【請求項１】
建物の内部に設置され、架台が所定の階において建物の躯体に固定されるフロアクライミング式のタワークレーンを用いた建物の構築方法であって、
前記タワークレーンによって揚重を行い、前記タワークレーンのマストが通過するマスト通過用開口を有する各階の床スラブを形成し、前記躯体を所定階数構築する工程と、
前記躯体を所定階数構築した後に、前記架台を前記躯体に固定する前記階を上層階に変更する工程と、
前記架台の下部に設置したホイスト式クレーンによって揚重を行い、前記架台が固定された階よりも下層階の前記マスト通過用開口を塞ぐ工程とを含み、
前記マスト通過用開口を塞ぐ工程が、以下の工程（１）〜（８）を含むことを特徴とする建物の構築方法。
（１）Ｎ階の前記マスト通過用開口を塞ぐ複数枚のコンクリート板をＮ−１階の床スラブ上に仮置きする工程。
（２）少なくとも１枚の前記コンクリート板が通過できる通過領域を残して前記Ｎ階の前記マスト通過用開口の真下に位置する前記Ｎ−１階の床スラブ上に第１の支保工を構築する工程。
（３）前記Ｎ−１階に置かれている前記コンクリート板を前記通過領域の真下位置に横移動させる工程。
（４）横移動させた前記コンクリート板の一部を前記ホイスト式クレーンによって前記通過領域を通過させて揚重し、前記マスト通過用開口の一部を塞ぐように当該コンクリート板を前記第１の支保工上に敷き込む工程。
（５）横移動させた残りの前記コンクリート板を前記ホイスト式クレーンによって前記通過領域を通過させて揚重し、敷き込みが完了した前記コンクリート板上に載置する工程。
（６）載置完了後に前記通過領域の真下位置の前記Ｎ−１階の床スラブ上に第２の支保工を構築する工程。
（７）敷き込みが完了した前記コンクリート板上に載置されている前記コンクリート板を前記ホイスト式クレーンによって揚重し、前記マスト通過用開口の残りを塞ぐように当該コンクリート板を前記第２の支保工上に敷き込む工程。
（８）前記コンクリート板の全てを前記床スラブに固定する工程。
【請求項２】
前記コンクリート板は、ハーフプレキャスト床版であり、当該ハーフプレキャスト床版が前記床スラブに配置された鉄筋と継手をなす側の端面は前記マスト通過用開口を画定する前記床スラブの端面に実質的に隙間なく接合し、前記ハーフプレキャスト床版には前記床スラブに配置された鉄筋と重ね継手をなす鉄筋が配筋されており、
前記コンクリート板を前記床スラブに固定する工程は、前記ハーフプレキャスト床版の上部にコンクリート打ちを行い、マスト通過用開口部分の床スラブを完成させる工程を含んでいることを特徴とする請求項１に記載の建物の構築方法。
【発明の詳細な説明】
【技術分野】
【０００１】
本発明は、フロアクライミング式タワークレーンおよびこれを用いた建物の構築方法に関する。
【背景技術】
【０００２】
フロアクライミング式タワークレーンは、建物の内部に設置され、架台が所定の階において建物の躯体に固定され、架台から立設されたマストが各階の床スラブに形成されるマスト通過用開口を貫通して上方に延在し、躯体の階数が所定の階数増えるに従って架台を前記躯体に固定する前記階を上層階に変更（盛り替え）するものである（例えば、特許文献１参照）。
【０００３】
このようなフロアクライミング式タワークレーンを用いて行う高層建物の構築方法（フロアクライミング工法）では、架台が固定されている階よりも下層階で、マスト通過用開口を塞いで床スラブに復旧することが行われる。従来、この復旧作業は、先行揚重してマスト通過用開口の近傍に仮置きしておいた鉄筋等の資材を用いてコンクリートを現場打ちすることで行われている。
【０００４】
マスト通過用開口を塞く復旧工法として、床スラブと同じ厚さのプレキャスト床版をマスト通過用開口に敷き込み、マスト通過用開口の周囲の床スラブとプレキャスト床版との間にできる間隙において両者から延出している鉄筋の接合を行い、その後に間隙にコンクリートを打ち込んで間隙を塞ぐ工法が知られている（例えば、特許文献２参照）。
【先行技術文献】
【特許文献】
【０００５】
【特許文献１】特開２００５−２７２１１６号公報
【特許文献２】特開平６−１７３３７８号公報
【発明の概要】
【発明が解決しようとする課題】
【０００６】
プレキャスト床版を用いてマスト通過用開口を塞く復旧工法では、タワークレーンの真下においてマスト通過用開口を塞ぐようにプレキャスト床版を敷き込むことが行われるが、タワークレーンの真下におけるプレキャスト床版の揚重は、タワークレーンによって行うことはできない。このため、特許文献２にはプレキャスト床版の具体的な設置方法は開示されていないが、従来の方法を応用して、各階のマスト通過用開口の周囲の床スラブ上にプレキャスト床版を先行揚重し、マスト通過用開口の復旧工程時に、プレキャスト床版を横移動させてマスト通過用開口に敷き込む作業を作業者の手作業によって行うことが考えられる。しかしながら、この作業は作業者の負担が大きく、効率よくマスト通過用開口の復旧を行うことが難しい。
【０００７】
本発明が解決しようとする課題は、フロアクライミング式タワークレーンを用いて行う建物の構築において、マスト通過用開口を塞ぐ復旧工程を、作業者の負担を軽減して効率よく行えるようにすることである。
【課題を解決するための手段】
【０００８】
本発明によるフロアクライミング式タワークレーンは、建物（１）の内部に設置され、架台（２０）が所定の階において建物（１）の躯体（２）に固定され、前記架台（２０）から立設されたマスト（１１）が各階の床スラブ（６）に形成されるマスト通過用開口（８）を貫通して上方に延在し、躯体（２）の階数が所定の階数増えるに従って前記架台（２０）を前記躯体（２）に固定する前記階を上層階に変更するフロアクライミング式タワークレーン（１０）であって、前記架台（２０）の下部にホイスト式クレーン（４１）が設置されている。ここで、ホイスト式クレーンとは、巻上機として電気ホイストまたは電気チェーンブロックを備え、水平移動可能のものを意味する。
【０００９】
この構成によれば、ホイスト式クレーン（４１）によって、フロアクライミング式タワークレーン（１０）の真下位置での施工になるマスト通過用開口（８）を塞ぐ復旧工程での資材の揚重を、ホイスト式クレーン（４１）によって行うことができる。このことにより、各階のマスト通過用開口（８）を塞ぐ復旧工程を、作業者の負担を軽減して効率よく行えるようになる。
【００１０】
本発明によるフロアクライミング式タワークレーンは、好ましくは、前記架台（２０）の下部には水平に延在する案内レール（４０）が取り付けられており、前記ホイスト式クレーン（４１）が前記案内レール（４０）に走行可能に係合している。
【００１１】
この構成によれば、ホイスト式クレーン（４１）が横行できるので、ホイスト式クレーン（４１）の揚重作業領域が広くなり、各階のマスト通過用開口（８）を塞ぐ復旧工程を作業性よく行えるようになる。
【００１２】
本発明によるフロアクライミング式タワークレーンは、好ましくは、前記案内レール（４０）は互いに平行に延在する形態で２本設けられており、当該２本の案内レール（４０）の各々に前記ホイスト式クレーン（４１）が設けられている。
【００１３】
この構成によれば、横行可能な２個のホイスト式クレーン（４１）によって揚重を行えるから、各階のマスト通過用開口（８）を塞ぐ復旧工程を作業性よく行えるようになる。また、２個のホイスト式クレーンで共吊りすることにより、延在方向以外にも資材を移動することができる。
【００１４】
本発明による建物の構築方法は、建物（１）の内部に設置され、架台（２０）が所定の階において建物（１）の躯体（２）に固定されるフロアクライミング式のタワークレーン（１０）を用いた建物の構築方法であって、前記タワークレーン（１０）によって揚重を行い、前記タワークレーン（１０）のマスト（１１）が通過するマスト通過用開口（８）を有する各階の床スラブ（６）を形成し、前記躯体（２）を所定階数構築する工程と、前記躯体（２）を所定階数構築した後に、前記架台（２０）を前記躯体（２）に固定する前記階を上層階に変更する工程と、前記架台（２０）の下部に設置したホイスト式クレーン（４１）によって揚重を行い、前記架台（２０）が固定された階よりも下層階の前記マスト通過用開口（８）を塞ぐ工程とを含む。
【００１５】
この構築方法によれば、フロアクライミング式タワークレーン（１０）の真下位置での施工になるマスト通過用開口（８）を塞ぐ復旧工程での資材の揚重を、ホイスト式クレーン（４１）によって行うから、各階のマスト通過用開口（８）を塞ぐ復旧工程を、作業者の負担を軽減して効率よく行えるようになる。
【００１６】
本発明による建物の構築方法は、好ましくは、前記マスト通過用開口（８）を塞ぐ工程が、以下の工程を含む。
１．Ｎ階の前記マスト通過用開口（８）を塞ぐ複数枚のコンクリート板（５０）をＮ−１階の床スラブ（６）上に仮置きする工程。
２．少なくとも１枚の前記コンクリート板（５０）が通過できる通過領域（Ａ）を残して前記Ｎ階の前記マスト通過用開口（８）の真下に位置する前記Ｎ−１階の床スラブ（６）上に第１の支保工（５６）を構築する工程。
３．前記Ｎ−１階に置かれている前記コンクリート板（５０）を前記通過領域（Ａ）の真下位置に横移動させる工程。
４．横移動させた前記コンクリート板（５０）の一部を前記ホイスト式クレーン（４１）によって前記通過領域（Ａ）を通過させて揚重し、前記マスト通過用開口（８）の一部を塞ぐように当該コンクリート板（５０）を前記第１の支保工（５６）上に敷き込む工程。
５．横移動させた残りの前記コンクリート板（５０）を前記ホイスト式クレーン（４１）によって前記通過領域（Ａ）を通過させて揚重し、敷き込みが完了した前記コンクリート板（５０）上に載置する工程。
６．載置完了後に前記通過領域（Ａ）の真下位置の前記Ｎ−１階の床スラブ上に第２の支保工（５７）を構築する工程。
７．敷き込みが完了した前記コンクリート板（５０）上に載置されている前記コンクリート板（５０）を前記ホイスト式クレーン（４１）によって揚重し、前記マスト通過用開口（８）の残りを塞ぐように前記第２の支保工（５７）上に当該コンクリート板（５０）を敷き込む工程。
８．前記コンクリート板（５０）の全てを前記床スラブ（６）に固定する工程。
【００１７】
この構築方法によれば、マスト通過用開口（８）を塞ぐコンクリート板（５０）の揚重をホイスト式クレーン（４１）によって行うから、各階のマスト通過用開口（８０）を塞ぐ復旧工程を、作業者の負担を軽減して効率よく行えるようになる。
【００１８】
本発明による建物の構築方法は、好ましくは、前記コンクリート板は、ハーフプレキャスト床版（５０）であり、当該ハーフプレキャスト床版（５０）が前記床スラブ（６）に配置された鉄筋（６０、６１）と継手をなす側の端面（５１Ａ）は前記マスト通過用開口（８）を画定する前記床スラブ（６）の端面（６Ａ）に実質的に隙間なく接合し、前記ハーフプレキャスト床版（５０）には前記床スラブ（６）に配置された鉄筋（６０、６１）と重ね継手をなす鉄筋（５２、５９）が配筋されており、前記コンクリート板を前記床スラブ（６）に固定する工程は、前記ハーフプレキャスト床版（５０）の上部にコンクリート打ちを行い、マスト通過用開口部分の床スラブを完成させる工程を含んでいる。
【００１９】
この構築方法によれば、マスト通過用開口（８）の周囲の床スラブ（６）とハーフプレキャスト床版（５０）との間に、鉄筋の継手を構成するための間隙を設ける必要がないから、ハーフプレキャスト床版（５０）およびマスト通過用開口（８）を画定する床スラブ（６）を型枠として、別途に型枠を作ることなく、所要のコンクリート打ちを的確に行うことができる。
【発明の効果】
【００２０】
本発明によるフロアクライミング式タワークレーンおよび建物の構築方法によれば、フロアクライミング式タワークレーンの真下位置での施工になるマスト通過用開口を塞ぐ復旧工程での資材の揚重を架台の下部に設置されたホイスト式クレーンによって行うことができるので、マスト通過用開口を塞ぐ復旧工程を、作業者の負担を軽減して効率よく行えるようになる。
【図面の簡単な説明】
【００２１】
【図１】フロアクライミング式タワークレーンを用いて構築する建物の概要を示す正面図。
【図２】フロアクライミング式タワークレーンの盛り替え手順を示す説明図。
【図３】本発明によるフロアクライミング式タワークレーンの一つの実施形態を示す正面図。
【図４】本実施形態によるフロアクライミング式タワークレーンの要部の拡大側面図。
【図５】同要部の拡大平面図。
【図６】本発明による建物の構築方法におけるマスト通過用開口を塞ぐ工程（１）〜（３）を示す説明図。
【図７】同工程（４）を示す説明図。
【図８】同工程（５）を示す説明図。
【図９】同工程（６）を示す説明図。
【図１０】同工程（７）を示す説明図。
【図１１】同工程（８）を示す説明図。
【図１２】ハーフプレキャスト床版およびコンクリート打ちによって塞がれたマスト通過用開口の拡大断面図。
【発明を実施するための形態】
【００２２】
まず、図１を参照してフロアクライミング式タワークレーン（以下、タワークレーンと略称する）１０が用いられるフロアクライミング工法による建物１について説明する。建物１は基礎７上に構築された鉄筋コンクリート造の躯体２によって構成されている。躯体２は、前後左右に所定の間隔をおいて配置された複数個の柱３と、隣接する柱３同士を互いに連結する梁４及び耐震壁５と、各階の床スラブ６とを有する。
【００２３】
タワークレーン１０は、建物１の内部に設置されるものであり、マスト１１と、マスト１１に昇降可能に設けられたクレーン本体１２とを有する。クレーン本体１２には昇降装置（不図示）が設けられている。この昇降装置は、公知のものであり、マスト１１が固定されている場合には、マスト１１に対してクレーン本体１２を昇降移動させ、クレーン本体１２が固定されている場合には、クレーン本体１２に対してマスト１１を昇降移動させる。
【００２４】
タワークレーン１０は、建物１の構築当初は、図１に想像線で示されているように、マスト１１の基礎部１３を基礎７上に固定した状態で使用され、建物１の建設が進んで躯体２の階数が所定の階数増えると、架台２０を所定の階において躯体２に固定し、架台２０によってマスト１１の基礎部１３を支持することが行われる。そして、躯体２の階数が所定の階数増える毎に、架台２０を躯体２に固定する階を上層階に変更する盛り替えが行われる。各階の床スラブ６には平面視で同一位置にマスト通過用開口８が形成されている。マスト１１は架台２０より上層階の床スラブ６のマスト通過用開口８を上下に貫通して上方に延在している。マスト通過用開口８は、架台２０が上層階に盛り替えられた後に、後施工（復旧工程）によって下層階から順次閉塞される。
【００２５】
つぎに、図２を参照して、タワークレーン１０の盛り替え手順について説明する。なお、ここでは、すでにタワークレーン１０が架台２０によって躯体２に支持されている状態から、さらに上層階へ盛り替える手順を説明する。
【００２６】
図２（Ａ）は、架台２０がＭ階においてマスト通過用開口８の周囲の柱３に固定されている状態を示している。建物１の建設が進むと、図２（Ｂ）に示されているように、Ｍ階より上層階の躯体２が構築される。この躯体２の構築と並行して、つぎにタワークレーン１０を設置する階（Ｌ階とする）に別の架台２０を設置する。所定の階（ここではＬ＋１階）まで躯体２の構築を終えると、次に、図２（Ｃ）に示されているように、最上階であるＬ＋１階の上階、すなわちＬ＋２階に、クレーン本体１２を支持するためのベル受け架台１５を設定する。そして、マスト１１に対してクレーン本体１２を前記昇降装置によって降下移動させ、クレーン本体１２をベル受け架台１５上に固定する。この状態では、クレーン本体１２はベル受け架台１５によって躯体２に支持される。
【００２７】
その後、図２（Ｄ）に示されているように、Ｍ階におけるマスト１１の基礎部１３と架台２０との連結を切り外し、クレーン本体１２の前記昇降装置によってクレーン本体１２に対してマスト１１を上昇移動させ、マスト１１の基礎部１３をＬ階に設置されている架台２０に連結する。そして、マスト１１に対してクレーン本体１２を前記昇降装置によって上昇移動させてマスト１１の上端部にクレーン本体１２を位置させ、ベル受け架台１５を撤去する（図２（Ａ）と同等の状態）。これにより、タワークレーン１０の盛り替えが完了する。このような手順を繰り返すことにより、タワークレーン１０が建物１の構築に合わせて上層階へとクライミングしていく。なお、マスト１１の上昇後、Ｍ階の架台２０は、解体・撤去され、次回の盛り替えに再使用される。
【００２８】
つぎに、本発明によるタワークレーン１０の一つの実施形態を、図３〜図５を参照して説明する。
【００２９】
架台２０は、マスト通過用開口８の周囲に存在する４本の柱３Ａ〜３Ｄに各々取付ボルト２１によって着脱可能に固定された下桁受ブラケット２２、２３、２４、２５を有する。下桁受ブラケット２２と２３とは平面視が矩形のマスト通過用開口８の隅部にあって互いに隣接する柱３Ａと３Ｂとに固定されている。下桁受ブラケット２４と２５とはマスト通過用開口８の外方にある一つ飛ばしの柱３Ｃと３Ｄとに固定されている。
【００３０】
下桁受ブラケット２２および２３にはＨ形鋼等による第１下桁２６の両端部がアンカボルト（不図示）によって着脱可能に固定されている。第１下桁２６は、下桁受ブラケット２２と２３との間に、マスト通過用開口８の一つの辺部に沿って水平に掛け渡されている。下桁受ブラケット２４および２５にはＨ形鋼による第２下桁２７の両端部がアンカボルト（不図示）によって着脱可能に固定されている。第２下桁２７は、下桁受ブラケット２４と２５との間に、マスト通過用開口８のもう一つの辺部に沿って水平に掛け渡されている。第１下桁２６と第２下桁２７とは互い平行に延在している。第２下桁２７は、第１下桁２６に比してスパンが長いので、所要の曲げ剛性を確保すべく第１下桁２６より断面寸法（高さ）が大きい（図４参照）。
【００３１】
第１下桁２６および第２下桁２７上にはＨ形鋼等による第１上桁２９および第２上桁３０の各々の両端部がアンカボルト２８によって着脱可能に固定されている。第１上桁２９と第２上桁３０とは、第１下桁２６および第２下桁２７の延在方向に所定の間隔をおいて互いに平行に、且つ水平に延在し、第１下桁２６と第２下桁２７とに間に掛け渡されている。
【００３２】
第１上桁２９および第２上桁３０上にはクロスビーム組立体３１が取り付けられている。クロスビーム組立体３１は、第１上桁２９および第２上桁３０に各々アンカボルト３２によって着脱可能に固定された合計４個の対角線上配置の短尺ビーム材による基部部材３３と、各端部を着脱可能な枢軸３４によって基部部材３３に連結され、マスト通過用開口８の略中央に位置する平面視でＸ形状のクロスビーム部材３５とを有する。クロスビーム部材３５上には四角柱によるマスト１１の基礎部１３が取り付けられている。基礎部１３
は平面視で正方形をなし、その各辺と各基部部材３３とがリンク部材３６によって連結されている。
【００３３】
第１上桁２９および第２上桁３０の下方には、これらの下底部より垂下されたハンガーバー３７およびトラスメンバ３８、３９によって２本の案内レール４０が吊り下げ装着されている。２本の案内レール４０は、Ｉ形鋼等によって構成され、第１上桁２９と第２上桁３０との間に掛け渡されて互いに平行に、且つ水平に延在している。２本の案内レール４０の各々には電動走行式のホイスト式クレーン４１が案内レール４０の延在方向に走行（横行）可能に係合している。ホイスト式クレーン４１は、電気チェーンブロックからなる巻上機本体４２と、巻上機本体４２より吊り下がったチェーン４３と、チェーン４３の先端に取り付けられたフック４４とを有する。
【００３４】
ホイスト式クレーン４１は架台２０の下方にあり、チェーン４３は各階のマスト通過用開口８を通過して下方に延在しており、フック４４はチェーン４３の繰り出しによって架台２０の真下位置の床スラブ６上に到達可能になっている。
【００３５】
案内レール４０上には、ホイスト式クレーン４１の制御ボックス４５と無線親機４６とが取り付けられている。ホイスト式クレーン４１は、無線親機４６と作業者が携帯している無線子機４７との無線通信によって操作される。
【００３６】
本発明による建物の構築方法は、タワークレーン１０によって躯体２を構築するための資材の揚重を行い、タワークレーン１０のマスト１１が通過するマスト通過用開口８を有する各階の床スラブ６を形成し、躯体２を所定階数構築する工程と、躯体２を所定階数構築した後に、架台２０を躯体２に固定する階を上層階に変更する工程と、架台２０の下部に設置したホイスト式クレーン４１によってマスト通過用開口８を塞ぐ資材の揚重を行い、架台２０が固定された階よりも下層階のマスト通過用開口８を塞ぐ工程（復旧工程）とを含んでいる。
【００３７】
マスト通過用開口８を塞ぐ復旧工程は、以下の工程（１）〜（８）を含む。工程（１）〜（８）を、図６〜図１１を参照して説明する。
【００３８】
（１）図６に示されているように、Ｎ階のマスト通過用開口８を塞ぐ複数枚のコンクリート板や鉄筋等の資材を、Ｎ階を構築する前に予めタワークレーン１０によってＮ−１階の床スラブ６上に仮置きする。本実施形態では、コンクリート板としてハーフプレキャスト床版５０が使用される。
【００３９】
ハーフプレキャスト床版５０は、薄い矩形のコンクリート製のプレキャスト版５１と、プレキャスト版５１内に配筋された複数本の下鉄筋５２（図１２参照）と、プレキャスト版５１上にタイル状に成形されたボイド５３とによって構成されており、全体の厚さ（高さ）が床スラブ６の厚さの１／２に近い厚さになっている。ハーフプレキャスト床版５０は、例えば、マスト通過用開口８に近い床スラブ６上に配置された空気圧浮上式のエアーキャスタ５５上に、マスト通過用開口８を塞ぐのに必要な複数枚数、予め積載されている。
【００４０】
（２）少なくとも１枚のハーフプレキャスト床版５０が通過できる通過領域Ａを残してＮ階のマスト通過用開口８の真下に位置するＮ−１階の床スラブ６上に第１の支保工５６を構築する。本実施形態では、第１の支保工５６はマスト通過用開口８の１／２に相当する領域に構築されており、通過領域Ａはマスト通過用開口８の１／２の大きさになっている。
【００４１】
（３）Ｎ−１階において、エアーキャスタ５５上に積載されている複数枚のハーフプレキャスト床版５０を、エアーキャスタ５５によって通過領域Ａの真下位置に横移動させる。
【００４２】
（４）横移動させた複数枚のハーフプレキャスト床版５０の１／２の枚数を２個のホイスト式クレーン４１によってＮ階の通過領域Ａを通過させて揚重し、図７に示されているように、２個のホイスト式クレーン４１を用いてマスト通過用開口８の１／２を塞ぐようにハーフプレキャスト床版５０を第１の支保工上に敷き込む。この工程での揚重は、２個のホイスト式クレーン４１の各々の巻上機本体４２の横行およびフック４４の昇降によって行われる。
【００４３】
（５）図８に示されているように、横移動させた残り１／２のハーフプレキャスト床版５０を２個のホイスト式クレーン４１によって通過領域Ａを通過させて揚重し、第１の支保工５６上に敷き込みが完了したハーフプレキャスト床版５０上に載置する。この工程での揚重も、２個のホイスト式クレーン４１の各々の巻上機本体４２の横行およびフック４４の昇降によって行われる。
【００４４】
（６）図９に示されているように、（５）の工程による載置完了後に、通過領域Ａの真下位置のＮ−１階の床スラブ６上に第２の支保工５７を構築する。
【００４５】
（７）図１０に示されているように、第１の支保工５６上の敷き込みが完了したハーフプレキャスト床版５０上に載置されている未敷き込みのハーフプレキャスト床版５０を２個のホイスト式クレーンに４１よって揚重し、マスト通過用開口８の残り１／２を塞ぐように、ハーフプレキャスト床版５０を第２の支保工５７上に敷き込む。この工程での揚重も、２個のホイスト式クレーン４１の各々の巻上機本体４２の横行およびフック４４の昇降によって行われる。
【００４６】
（８）図１１に示されているように、敷き込みが完了した全てのハーフプレキャスト床版５０の上部にコンクリート打ちを行ってハーフプレキャスト床版５０の上部にコンクリート層５８を盛り、コンクリート層５８の上面を床スラブ６の上面と面一にしてハーフプレキャスト床版５０をマスト通過用開口８の周りの床スラブ６に固定する。第１の支保工５６および第２の支保工５７は、コンクリート層５８の硬化後に撤去する。
【００４７】
上述したように、タワークレーン１０の真下位置での施工になるマスト通過用開口８を塞ぐ復旧工程でのハーフプレキャスト床版５０の揚重を、架台２０の下部に設置されたホイスト式クレーン４１によって行うことができるので、当該復旧工程が作業者の負担を軽減して効率よく行われるようになる。
【００４８】
ホイスト式クレーン４１は、案内レール４０の延在方向に横行できるので、ホイスト式クレーン４１の揚重作業領域が広くなり、各階のマスト通過用開口８を塞ぐ復旧工程が作業性よく行われるようになる。しかも、横行可能な２個のホイスト式クレーン４１によって揚重を行えるから、大型のハーフプレキャスト床版５０の揚重も可能になり、各階のマスト通過用開口８を塞ぐ復旧工程が、より一層作業性よく行われるようになるうえ、２個のホイスト式クレーン４１により共吊りすることにより、揚重資材を横行方向以外に移動することもできる。
【００４９】
つぎに、ハーフプレキャスト床版５０を用いてマスト通過用開口８を塞ぐ構造の詳細を、図１２を参照して説明する。
【００５０】
ハーフプレキャスト床版５０のプレキャスト版５１が床スラブ６に配置された下鉄筋６０および上鉄筋６１と継手をなす側の端面５１Ａはマスト通過用開口８を画定する床スラブ６の端面６Ａに実質的に隙間なく接合している。ハーフプレキャスト床版５０がマスト通過用開口８に敷き込まれたのちに、ハーフプレキャスト床版５０のボイド５３上に段取り筋（不図示）を介して複数本の上鉄筋５９を配筋する。ここで、「実質的に隙間なく」とは、スラブ型枠が必要ななるほどの隙間がないことを意味し、施工誤差や製造誤差を考慮してスラブ型枠が必要にならない程度（目地材で塞げる程度）に小さな隙間を設定することを排除するものではない。
【００５１】
床スラブ６に配筋されている下鉄筋６０および上鉄筋６１は、端面６Ａよりマスト通過用開口８内に延出しており、ハーフプレキャスト床版５０の敷き込みが完了するまでは、敷き込みの邪魔にならないように、下側あるいは上側に曲げられており、敷き込みが完了後に図１２示されているように、水平に伸ばされ、下鉄筋５２および上鉄筋５９と各々重ね継手Ｂ、Ｃをなす。重ね継手Ｂ、Ｃは、上下に間隙が存在するあき重ね継手であるが、重ね継手Ｃについては、上鉄筋５９と６１とが密着した重ね継手とすることができる。
【００５２】
重ね継手Ｂ、Ｃを完成させた後に、ハーフプレキャスト床版５０上に現場でのコンクリート打ちを行い、コンクリート層５８を形成する。このコンクリート打ちは、ハーフプレキャスト床版５０およびマスト通過用開口８を画定する床スラブ６を型枠として、型枠内の全体にコンクリートが行きわたり、床スラブ６の上面の同じ高さまで行われる。型枠内にコンクリート打ちされたコンクリート、つまりコンクリート層５８が硬化した後は、マスト通過用開口８の部分は、ハーフプレキャスト床版５０とコンクリート層５８とによる床スラブによって閉塞される。
【００５３】
ハーフプレキャスト床版５０を用いた復旧工法では、床スラブと同じ厚さのプレキャスト床版を用いた復旧工法のように、マスト通過用開口８の周囲の床スラブ６とハーフプレキャスト床版５０との間に、鉄筋の継手を構成するための間隙を設ける必要がないから、ハーフプレキャスト床版５０およびマスト通過用開口８を画定する床スラブ６を型枠として、別途に型枠を作ることなく、所要のコンクリート打ちを的確に行うことができる。このことによってもマスト通過用開口８の復旧工程が、作業性よく、高効率で行われるようになる。
【００５４】
なお、上述のホイスト式クレーン４１による揚重作業はクレーン本体１２による揚重作業と並行して行うことができる。つまり、クレーン本体１２とホイスト式クレーン４１とを同時に稼働させ、工期の短縮を図ることができる。
【００５５】
以上、本発明を、その好適な実施形態について説明したが、当業者であれば容易に理解できるように、本発明はこのような実施形態により限定されるものではなく、本発明の趣旨を逸脱しない範囲で適宜変更可能である。たとえば、ホイスト式クレーン４１として、電気チェーンブロックの代わりにホイストを巻上機本体４２に用いたホイストクレーンを用いてもよい。また、ハーフプレキャスト床版５０に代えて床スラブと同じ厚さのプレキャスト床版を用いることもできる。架台２０は、上述した実施形態のものに限られることはなく、躯体２に取り外し可能に固定され、マスト１１の基礎部１３を支持するものであればよく、また、柱３に代えて耐震壁５に取り外し可能に固定されるものであってもよい。また、上記実施形態に示した構成要素は必ずしも全てが必須なものではなく、本発明の趣旨を逸脱しない限りにおいて適宜取捨選択することが可能である。
【符号の説明】
【００５６】
１      建物
２      躯体
３      柱
３Ａ    柱
３Ｃ    柱
４      梁
５      耐震壁
６      床スラブ
６Ａ    端面
７      基礎
８      マスト通過用開口
１０    フロアクライミング式タワークレーン
１１    マスト
１２    クレーン本体
１３    基礎部
２０    架台
４０    案内レール
４１    ホイスト式クレーン
５０    ハーフプレキャスト床版
５１Ａ  端面
５２    下鉄筋
５５    エアーキャスタ
５６    第１の支保工
５７    第２の支保工
５８    コンクリート層
５９    上鉄筋
６０    下鉄筋
６１    上鉄筋
Ａ      通過領域
Ｂ      継手
Ｃ      継手
【図１】
0006449637.tif 000002
【図２】
0006449637.tif 000003
【図３】
0006449637.tif 000004
【図４】
0006449637.tif 000005
【図５】
0006449637.tif 000006
【図６】
0006449637.tif 000007
【図７】
0006449637.tif 000008
【図８】
0006449637.tif 000009
【図９】
0006449637.tif 000010
【図１０】
0006449637.tif 000011
【図１１】
0006449637.tif 000012
【図１２】
0006449637.tif 000013